(57)【要約】【課題】システムへ過大なトラフィック負荷をかけることなくユーザー端末からエリア品質情報を収集する。【解決手段】保守装置ＯＭＣ（３０７）は、基地局ＢＴＳ（３０１）を介して無線端末ＡＴ（３０５）に確認信号を送信し（Ｓ４００）、無線端末（３０５）から無線端末の識別子を受信する（Ｓ４１０）。ＯＭＣ（３０７）は、基地局の識別子に対応して、受信された無線端末の識別子を記憶する（Ｐ４１０）。ＯＭＣ（３０７）は、基地局（３０１）から取得したパフォーマンス値が予め定められた制限値以下の場合に、基地局の識別子に対応する無線端末の識別子を読み出す。ＯＭＣ（３０７）は、無線端末（３０５）に対して情報の取得指示を送信する（Ｓ４２０）。ＯＭＣ（３０７）は、無線端末（３０５）から、無線端末の位置情報と、その位置における無線端末と基地局間の無線情報とを含むエリア品質情報を取得する（Ｓ４３０）。【選択図】図４
2008022065.tif 000002
【特許請求の範囲】
【請求項１】
複数の無線端末と通信し、及び、自装置のスループット、呼接続数若しくはユーザ収容状況を示すパフォーマンス値を測定して出力する基地局と、
前記基地局のパフォーマンス値に従い、前記基地局の無線エリアのエリア品質情報を取得するための保守装置と
を備え、
前記保守装置は、
前記基地局を介して複数の前記無線端末に確認信号を送信し、
該確認信号を受信したひとつ又は複数の前記無線端末から送信される、該無線端末の識別子を受信し、
前記基地局の識別子に対応して、受信された前記無線端末の識別子を記憶し、
前記基地局のパフォーマンス値を、前記基地局から取得し、
取得されたパフォーマンス値が予め定められた制限値以下の場合に、前記基地局の識別子に対応する第１の無線端末の識別子を読み出し、
読み出された前記第１の無線端末の識別子に従い、該第１の無線端末に対して情報の取得指示を送信し、
該取得指示に従い前記第１の無線端末から送信される、該第１の無線端末の位置情報と、該位置における第１の無線端末と前記基地局間の無線情報とを含むエリア品質情報を取得するエリア品質情報取得システム。
【請求項２】
前記保守装置は、
取得指示を送信した後に、前記第１の無線端末による通信を含む第２のパフォーマンス値を前記基地局からさらに取得し、
取得された第２のパフォーマンス値が予め定められた制限値以下の場合に、前記基地局の識別子に対応する第２の無線端末の識別子を読み出し、
読み出された前記第２の無線端末の識別子に従い、該第２の無線端末に対して情報の取得指示を送信し、
該取得指示に従い前記第２の無線端末から送信される、該第２の無線端末の位置情報と、該位置における第２の無線端末と前記基地局間の無線情報とを含むエリア品質情報を取得する請求項１に記載のエリア品質情報取得システム。
【請求項３】
前記保守装置は、
前記無線端末が取得する無線情報の種別と、前記無線端末からの情報の送信期間と、送信周期とを含む取得条件を設定し、
設定された取得条件と取得指示とを、前記第１及び／又は第２の無線端末に送信する請求項１又は２に記載のエリア品質情報取得システム。
【請求項４】
前記無線端末の通信に対して課金する課金サーバ
をさらに備え、
前記保守装置は、前記第１の無線端末からの無線端末の識別子及び／又はエリア品質情報の送信に対する課金を止めるための課金停止指示を前記課金サーバに送信する請求項１に記載のエリア品質情報取得システム。
【請求項５】
前記無線端末は、
確認信号に従い自無線端末の識別子を送信し、及び、取得指示に従いエリア品質情報を送信するためのアプリケーションが、予めインストールされ、
前記基地局と通信可能な端末のうち、該アプリケーションがインストールされた前記無線端末のみが、確認信号に応答することを特徴とする請求項１に記載のエリア品質情報取得システム。
【請求項６】
前記第１及び第２の無線端末は、
情報の取得要求に従い、周期的に前記基地局との無線情報及び自端末の位置情報を取得し、
他の無線端末又は装置と呼接続されると又は通信が開始されると、呼接続又は通信中に取得された無線情報と位置情報とをバッファし、呼切断された後に、バッファされた無線情報と位置情報とを前記保守装置へ送信する請求項１に記載のエリア品質情報取得システム。
【請求項７】
前記保守装置は、
取得されたパフォーマンス値と制限値とに応じて端末数を決定し、決定された端末数に従い、基地局の識別子に対応する複数の無線端末の識別子を読み出し、
読み出された複数の無線端末の識別子に従い、該無線端末に対して情報の取得指示をそれぞれ送信する請求項１に記載のエリア品質情報取得システム。
【請求項８】
前記確認信号は、複数の前記基地局を介して送信され、
前記保守装置は、
該確認信号を前記基地局のひとつから受信した前記無線端末から送信される、該無線端末の識別子と、該基地局の識別子とを受信し、
前記基地局の識別子ごとに、無線端末の識別子を受信した数をカウントし、カウントされた値を前記基地局の識別子に対応して記憶する請求項１に記載のエリア品質情報取得システム。
【請求項９】
前記保守装置は、
カウントされた値を前記基地局の識別子に対応して表示し、
該表示に従い管理者により選択された前記基地局の識別子を入力し、
該入力された前記基地局の識別子に従い、該基地局のパフォーマンス値を取得する請求項８に記載のエリア品質情報取得システム。
【請求項１０】
前記保守装置は、
カウントされた値が予め定められた値以上の前記基地局を選択し、
選択された基地局のパフォーマンス値を取得する請求項８に記載のエリア品質情報取得システム。
【請求項１１】
前記保守装置は、
管理者により指定される前記基地局の識別子を含む無線情報取得指示を入力部から入力すると、前記制限値を該制限値よりも大きく設定することで、該基地局からの無線情報の取得条件をゆるめることを特徴とする請求項１に記載のエリア品質情報取得システム。
【請求項１２】
複数の無線端末と通信し、及び、自装置のスループット、呼接続数若しくはユーザ収容状況を示すパフォーマンス値を測定して出力する基地局と、
前記基地局の無線エリアのエリア品質情報を取得するための保守装置と
を備え、
前記保守装置は、
前記基地局のパフォーマンス値を、前記基地局から取得し、
取得されたパフォーマンス値に基づき、前記無線端末からの情報の送信周期を決定し、
前記無線端末が取得する無線情報の種別と、送信期間と、決定された送信周期とを含む取得条件を設定し、
設定された取得条件と取得指示とを、前記無線端末に送信し、
該取得指示に従い、決定された送信周期毎に前記無線端末から送信される、該無線端末の位置情報と、該位置における無線端末と前記基地局間の無線情報とを含むエリア品質情報を取得するエリア品質情報取得システム。
【発明の詳細な説明】
【技術分野】
【０００１】
本発明は、エリア品質情報取得システムに係り、特に、無線通信システムによって形成される無線エリアの品質情報を取得するエリア品質情報取得システムに関する。
【背景技術】
【０００２】
近年、無線通信システムにおいては、音声通話に加えデータ通信の需要が大きくなり、より高速・高品質な無線通信を実現する上で、様々な通信方式が採用されてきた。通信方式の例としては、音声等のユーザー信号を符号拡散のうえ多重化し通信を行うＣＤＭＡ（Ｃｏｄｅ  Ｄｉｖｉｓｉｏｎ  Ｍｕｌｔｉｐｌｅ  Ａｃｃｅｓｓ）や、データ通信に特化した１ｘＥＶ−ＤＯ（１ｘ  Ｅｖｏｌｕｔｉｏｎ  −  Ｄａｔａ  Ｏｎｌｙ）などが普及し、移動通信環境においても、ユーザーには多彩な通信が許容される。こうした種々の無線通信方式を活かす上では、基地局が送信する電波で形成される無線エリアの品質が、無線通信方式が要求する品質条件（干渉条件）を満足している必要がある。無線のエリア品質が所要の条件を満足できない環境においては、いかなる高速無線通信方式であっても、その真価が発揮されにくい。
【０００３】
キャリア（通信事業者）は置局設計時に、無線エリアで所要の品質が確保されるべく、シミュレーション等の机上検討で得られた最適な置局条件に従い、実際のサイトに基地局を設置する。ところが、実際のサイト、特に人口密集地では、ビル建設などにより地勢が月日と共に変化し、同時に電波の伝搬環境も変化する。伝搬環境の変化は、無線通信サービスのサービサビリティやユーザー満足度に大きく影響することから、キャリアは定期的に無線エリアの品質をチェックし、無線通信方式が本来持つ性能をユーザーに提供出来ているか確認する必要がある。また、ユーザークレームの発生に対しては、すぐさまクレーム対象地点のエリア品質を確認し、無線設備の不具合あるいは無線環境のいずれの要因によるかを迅速に判断する必要がある。この結果によっては、無線設備の修理・補修、あるいは環境要因による影響を回避すべくアンテナ等の設備設置状態を変更する必要が生じる。
【０００４】
また今後、無線通信システムでのＶｏＩＰ（Ｖｏｉｃｅ  ｏｖｅｒ  ＩＰ）サービスが展開される上では、例えば音声のようなリアルタイム性が要求される通信サービスに対し、無線回線を優先的に割り当てるといったＱｏＳ（Ｑｕａｌｉｔｙ  ｏｆ  Ｓｅｒｖｉｃｅ）機能が重要となる。この機能を無線通信システム上で実現する上では、ＱｏＳ機能を持たない従来の無線通信システムが要求するエリア品質に比べ、より高いエリア品質が常に要求される。
以上のことから、エリア品質の確認は、無線通信サービスを提供するキャリアにとって重要な作業であり、これを如何に容易に行えるかは重要な課題のひとつである。
【０００５】
図１は、従来のエリア品質チェックの作業形態の一例である。
こうした無線エリアのエリア品質チェックは、一般に次の工程が行なわれる。まず、車輌に電波測定機材と測位装置（ＧＰＳなど）を搭載し、被測定エリア内を走行しながら、同時に電波測定と測位を行う。電波測定結果および測位情報は、走行中連続して記録装置に記録される。測定の全てが終了した後、測定結果を地図上にマップマッチング処理（例えば、地図上の測位位置に、電波の受信強度を色別で表示させる処理）を行い、この処理結果を見ることで対象エリア内におけるエリア品質の面的把握が可能となる。例えば、測定された送受信電力、搬送波対干渉波比、および位置情報を使い、地図上で対応する位置に色別で値の高低が表現されるマップマッチング図を確認することにより、対象エリア内の弱電界領域や、呼処理性能劣化領域を容易に把握できる。こうした情報を把握することで、基地局設備の設置条件（例えばアンテナ方位や基地局送信電力など）を変更・調整し、対象エリア内の電波状況を改善することが出来る。
【０００６】
また、ユーザー端末を利用し、ユーザー端末が何らかの契機で電波情報を基地局側へ送信することで、上位保守装置がその電波情報をサーバに蓄積し、その情報を必要な形態（例えば、電波情報のマップマッチング）に自動的に編集するといった、エリア品質情報取得に関する案が提案されている。
【０００７】
例えば、特許文献１には、移動機から送信される該移動機の位置情報と無線品質の測定値を受信する位置情報・測定値受信手段とを備え、該受信した位置情報と無線品質の測定値を地図上に展開する装置が開示されている。特許文献２には、定期報告タイマがタイムアウトになると、移動局の位置情報と品質情報とが基地局に報告されるシステム及び方法が開示されている。特許文献３には、測定開始条件に該当すると、携帯電話機について、発信・休止を指定回数繰り返し行い、各所に設置された携帯電話用アンテナとの間の通信品質を測定することが開示されている。また、測定値送信条件に該当すると、測定値を携帯電話機から、データ収集センターの通信端末に送信することが開示されている。
【特許文献１】特開２００２−１５２１０４号公報
【特許文献２】特開２０００−３４１２０４号公報
【特許文献３】特開２００２−３３５２０２号公報
【発明の開示】
【発明が解決しようとする課題】
【０００８】
従来はエリア品質を確認するために、強化型電源設備を持つ特殊車輌を用意する必要があり、さらにこの車輌に搭乗し運転・走行ルートのナビゲーション・測定機材監視を行なう人員の確保も必要であった。このためエリア品質の確認には、設備・機材費および人件費など莫大な費用と工数が発生していた。こうした費用と工数を低減する策のひとつとして、一般ユーザーの端末から必要な情報を定期的に基地局側（上位サーバ）へ送信させることが考えられる。しかしながら、送信の契機、端末で取得する情報の内容、対象となる端末の数など、これら情報を適切に制御しなければ、エリア品質情報だけで無線回線容量を逼迫させる事態になる可能性がある。また、一般ユーザー端末からの情報取得を想定した場合、ユーザーの端末利用を阻害することの無いような動作制御も必要である。
【０００９】
こうした課題のもとで、上記特許文献１に開示された技術は、端末の送信契機が固定的であり、無線回線の混み具合やユーザー端末の利用状態に大きく影響を与える場合がある。また、必要なエリア（局）に限定した情報取得が出来ず、不要なデータトラフィック負荷をシステム与える場合がある。なお、特許文献１に記載の専用サーバは、測定開始のための指令を出力するのみである。
また、上記特許文献２に開示された技術は、完全端末主導での情報送信であり、ユーザークレーム対応等で臨時に所望のエリアのエリア品質確認を行ないたい場合には不向きである。
【００１０】
上記特許文献３に開示された技術は、交通手段等に電波品質測定のための装置を搭載したものであり、ユーザーの端末を用いたものではない。また、測定開始の条件、測定値送信の条件として、時刻指定、ポイント指定等しているが、トラヒック負荷、ユーザーの端末利用等については考慮されていない。
【００１１】
本発明は、以上の点に鑑み、実際のエリア状況に応じてエリア品質情報の取得条件を設定することで、事前に承諾を得ているユーザー端末からエリア品質情報を収集し、エリア品質情況確認が行なえるエリア品質情報取得システムを提供することを目的とする。また、本発明は、保守装置経由で予め設定したエリア品質取得条件により、定期情報取得と臨時情報取得のいずれも可能とすることを目的とする。
【００１２】
本発明は、定期的にエリア品質情報を取得したい場合、保守装置からエリア品質情報の取得条件を無線基地局経由でユーザーの汎用端末に設定することで、設定された汎用端末は条件に従って定期的にエリア品質情報を保守装置へアップロードすることを目的とする。また、特殊な測定機材を必要とする既存の電波測定作業を行なうことなく、エリア品質情報を取得すること目的とする。本発明は、臨時でエリア品質情報を取得したい場合にも、同様な工程を踏むことで、容易にエリア品質情報を取得することを目的とする。
【００１３】
また、本発明は、エリア品質情報取得条件を細かく設定することで、無線通信システムに不要なデータトラフィック負荷をかけることなく、ユーザー端末からのエリア品質情報の収集を実現することを目的のひとつとする。本発明は、エリア品質情報をアップロードさせるユーザー端末を、システム内の各装置におけるパフォーマンス状態見合いで保守装置が決定し、エリア品質情報取得中もパフォーマンス状態見合いで保守装置がエリア品質情報収集の停止指示を発行することを目的のひとつとする。これにより、過剰なシステム負荷を発生させることなく、エリア品質情報の取得が実現することを目的のひとつとする。
【００１４】
更に、本発明は、保守装置からユーザー端末へのエリア品質情報取得指示、およびユーザー端末から保守端末への情報報告といったユーザー端末−保守装置間のやりとりを、全てアプリケーションレイヤで行われるため、無線通信システムの方式や準拠する標準仕様に影響されないシステムを提供することを目的のひとつとする。本発明は、既存システムへハードウェア的な変更のインパクトを与えずに、既存の無線通信システム上で容易に実現することを目的のひとつとする。
【課題を解決するための手段】
【００１５】
上記目的を達成するため、本発明は、事前に承諾の得られたユーザーが持つ無線通信用の汎用端末において、上位保守装置の指示で動作する専用アプリケーションが、元々その汎用端末に搭載されているオペレーティングシステムやアプリケーションプラットフォームを利用する。汎用端末は、上位保守装置が指定する条件に従い、汎用端末が取得したエリア品質情報を上位保守装置へアップロードするものである。
【００１６】
専用アプリケーションを汎用端末にインストールすることは、事前にユーザーの同意が得られているとの前提であり、この専用アプリケーションがエリア品質情報をアップロードする際に発生する呼接続に対しては、課金が免除される。また、エリア品質情報のアップロード回数に応じ、ユーザーへの課金値引き、あるいは特典付与など何らかの形で優遇されることもできる。
こうしたエリア品質情報取得における移動体通信システムとユーザー端末との連携が、本発明の要点のひとつである。
【００１７】
また、無線エリア品質の情報取得で、過剰なシステム負荷がかからぬよう、保守装置がシステム負荷見合いで情報取得を制御することを特徴のひとつとする。無線エリア品質の情報取得で、過剰なシステム負荷がかからぬよう、保守装置がシステム負荷見合いでアップロードさせる前期汎用端末を自立的に選択・制御することを特徴のひとつとする。
【００１８】
本発明の第１の解決手段によると、
複数の無線端末と通信し、及び、自装置のスループット、呼接続数若しくはユーザ収容状況を示すパフォーマンス値を測定して出力する基地局と、
前記基地局のパフォーマンス値に従い、前記基地局の無線エリアのエリア品質情報を取得するための保守装置と
を備え、
前記保守装置は、
前記基地局を介して複数の前記無線端末に確認信号を送信し、
該確認信号を受信したひとつ又は複数の前記無線端末から送信される、該無線端末の識別子を受信し、
前記基地局の識別子に対応して、受信された前記無線端末の識別子を記憶し、
前記基地局のパフォーマンス値を、前記基地局から取得し、
取得されたパフォーマンス値が予め定められた制限値以下の場合に、前記基地局の識別子に対応する第１の無線端末の識別子を読み出し、
読み出された前記第１の無線端末の識別子に従い、該第１の無線端末に対して情報の取得指示を送信し、
該取得指示に従い前記第１の無線端末から送信される、該第１の無線端末の位置情報と、該位置における第１の無線端末と前記基地局間の無線情報とを含むエリア品質情報を取得するエリア品質情報取得システムが提供される。
【００１９】
本発明の第２の解決手段によると、
複数の無線端末と通信し、及び、自装置のスループット、呼接続数若しくはユーザ収容状況を示すパフォーマンス値を測定して出力する基地局と、
前記基地局の無線エリアのエリア品質情報を取得するための保守装置と
を備え、
前記保守装置は、
前記基地局のパフォーマンス値を、前記基地局から取得し、
取得されたパフォーマンス値に基づき、前記無線端末からの情報の送信周期を決定し、
前記無線端末が取得する無線情報の種別と、送信期間と、決定された送信周期とを含む取得条件を設定し、
設定された取得条件と取得指示とを、前記無線端末に送信し、
該取得指示に従い、決定された送信周期毎に前記無線端末から送信される、該無線端末の位置情報と、該位置における無線端末と前記基地局間の無線情報とを含むエリア品質情報を取得するエリア品質情報取得システムが提供される。
【発明の効果】
【００２０】
本発明によれば、定期的にエリア品質情報を取得したい場合、保守装置からエリア品質情報の取得条件を無線基地局経由でユーザーの汎用端末に設定することで、設定された汎用端末は条件に従って定期的にエリア品質情報を保守装置へアップロードすることができる。このことで、特殊な測定機材を必要とする既存の電波測定作業を行なうことなく、エリア品質情報を取得することが可能となる。本発明によると、臨時でエリア品質情報を取得したい場合にも、同様な工程を踏むことで、容易にエリア品質情報を取得することが可能となる。
【００２１】
また、既存の発明と異なり、本発明によると、エリア品質情報取得条件を細かく設定できることで、無線通信システムに不要なデータトラフィック負荷をかけることなく、ユーザー端末からのエリア品質情報収集が実現できる。本発明によると、エリア品質情報をアップロードさせるユーザー端末は、システム内の各装置におけるパフォーマンス状態見合いで保守装置が決定し、エリア品質情報取得中もパフォーマンス状態見合いで保守装置がエリア品質情報収集の停止指示を発行することができる。これにより、過剰なシステム負荷を発生させることなく、エリア品質情報の取得が実現できる。
【００２２】
更に、本発明によると、保守装置からユーザー端末へのエリア品質情報取得指示、およびユーザー端末から保守端末への情報報告といったユーザー端末−保守装置間のやりとりは、全てアプリケーションレイヤで行われるため、無線通信システムの方式や準拠する標準仕様に影響されない。よって本発明によると、既存システムへハードウェア的な変更のインパクトを与えずに、既存の無線通信システム上で容易に実現できる。
【発明を実施するための最良の形態】
【００２３】
（システム構成）
図２および図３は、本実施の形態の移動体通信システム（無線通信システム）のシステム構成図である。
本通信システムは、無線基地局（ＢＴＳ）３０１と、無線端末（ユーザーが持つ汎用端末、ＡＴ）３０５と、無線基地局制御装置（ＢＳＣ）３０６と、保守装置（ＯＭＣ）３０７と、ＯＭＣサーバ３０８とを備える。さらに、課金処理システム３１０を備えても良い。
【００２４】
ゾーン１（３０３）内でユーザーが持つ汎用端末ＡＴ（３０５−１）が基地局ＢＴＳ１（３０１）と通信している。ＢＴＳ１（３０１）とＢＴＳ２（３０２）は、有線にて接続された基地局制御装置ＢＳＣ（３０６）を介して、ＩＰネットワーク等の公衆網（３０９）、課金処理システム（３１０）、および保守装置ＯＭＣ（３０７）と接続されている。ＯＭＣ（３０７）は、ＯＭＣ（保守）サーバ（３０８）と接続されている。
【００２５】
無線端末ＡＴ（３０５）、無線基地局ＢＴＳ１（３０１）、無線基地局制御装置ＢＳＣ（３０６）、保守装置ＯＭＣ（３０７）およびＯＭＣサーバ（３０８）の場合で説明する。
ＡＴ（３０５）は、汎用の無線端末であり、呼接続のためのユーザーインタフェース、ＢＴＳ１（３０１）との無線通信、測位機能を実現する。ＢＴＳ１（３０１）は、ＡＴとの無線通信機能、トラフィクデータのブロードキャスト機能を実現する。ＢＳＣ（３０６）は、コネクション制御、局間切替制御（ハンドオフ制御）、接続されるＢＴＳに対するトラフィックデータのブロードキャスト機能、課金情報制御といった機能を実現する。さらにＯＭＣ（３０７）およびＯＭＣサーバ（３０８）は、システム管理者による操作を可能とするための入出力インタフェースと表示装置を具備し、エリア品質情報取得のための設定情報（条件情報）の生成、収集されたエリア品質情報の集計およびマップマッチング処理、および収集データのＯＭＣサーバ（３０８）への保存といった機能を実現する。
【００２６】
（動作）
図４は、本実施の形態におけるエリア品質情報取得からアップロードに至る動作のシーケンス図である。
先ず初めに、例えば、移動体通信システムでＡＴがＢＴＳ別に何台存在するかを把握する目的で、ＯＭＣ（３０７）からＡＴ（３０５）に対し、ＢＳＣ（３０６）およびＢＴＳ１（３０１）を介して、端末確認信号を送信する（Ｓ４００）。なお、複数のＢＴＳを介して複数のエリアのＡＴに送信してもよい。予め、エリア品質情報取得・アップロードのための専用アプリケーションがインストールされているＡＴ（３０５）（以降、対象端末と呼ぶ）が、この端末確認信号を受信すると（Ｓ４００−４）、このＡＴ（３０５）がＯＭＣ（３０７）に向けて、接続情報をＢＳＣ（３０６）およびＢＴＳ１（３０１）経由で送信する（Ｓ４１０）。なお、専用アプリケーションが予めインストールされていないＡＴは、端末確認信号を無視する。
【００２７】
ここでの接続情報には、例えば、ＡＴ（３０５）が現在呼接続している又は通信可能な対象の局（ＢＴＳ）またはセクタの識別子（ＰＮ）、ＡＴの位置情報（緯度・経度情報）、およびＡＴが持つユニークな識別情報（識別番号等の適宜の識別子）が含まれる。
【００２８】
端末確認信号（Ｓ４００）に対する応答としてステップＳ４１０で接続情報を受信したＯＭＣ（３０７）は、ＢＴＳ別に何台の対象のＡＴが存在するかをリストアップする（Ｐ４１０）。例えば、受信された接続情報に含まれるＢＴＳの識別子に基づき、ＢＴＳ毎に接続情報の受信数をカウントし、ＢＴＳの識別子毎にカウント値を記憶する。また、ＢＴＳの識別子毎にＡＴの識別情報を記憶する。
【００２９】
なお、接続情報（Ｓ４１０）に含まれる位置情報を利用すれば、ＯＭＣ（３０７）は、この接続情報（Ｓ４１０）をもとに、地図上にＡＴが存在する位置を描画することや、局別にユーザー数のリストを作成することも可能である。また、ＯＭＣ（３０７）は、作成されたリストを表示してもよい。
【００３０】
システム管理者は、こうしてＯＭＣ（３０７）にて作成され、表示された情報を確認することで、エリア品質を確認したい対象エリアまたは対象局付近に、エリア品質を判断するのに十分な数のＡＴが存在するか把握できる。こうしたＡＴの接続情報をもとに得られた情報を使い、ステップＰ４２０において、エリア品質情報の取得条件をシステム管理者が判断し、ＯＭＣ（３０７）に設定するようにしてもよい。
【００３１】
次に、ＯＭＣ（３０７）は、エリア品質情報の取得条件を設定する（Ｐ４２０）。ここで設定するエリア品質情報の取得条件としては、例えば、無線情報の種別、取得期間（送信期間）、取得周期（送信周期）、ＡＴ条件などがある。無線情報の種別は、ＡＴが通信方式上、取得・計算している電波情報を用いることができる。例えば、受信電界強度ＲＳＳＩ（Ｒｅｃｅｉｖｅｄ  Ｓｉｇｎａｌ  Ｓｔｒｅｎｇｔｈ  Ｉｎｄｉｃａｔｏｒ）［ｄＢｍ］、搬送波対干渉波比Ｃ／Ｉ（Ｃａｒｒｉｅｒ  ｔｏ  Ｉｎｔｅｒｆｅｒｅｎｃｅ  Ｎｏｉｓｅ  Ｒａｔｉｏ）［ｄＢ］、ＡＴが通信を行っている対向の局・セクタの識別子ＰＮ（Ｐｓｅｕｄｏ  Ｎｏｉｓｅ）コード、搬送波電力Ｃ［ｄＢｍ］、チップ当たりの受信パイロット電力対全受信スペクトル密度比Ｅｃ／Ｉ０［ｄＢ］などである。これらの各無線情報の予め識別子を割り当て、この識別子のひとつ又は複数を選択することができる。ＡＴで取得・計算される情報は無線通信方式により異なるが、各方式で通信品質を維持する上で必要な無線情報は、あらゆる汎用端末の内部で取得・計算されており、本実施の形態では、そうした既存の汎用端末が元々内部で保有している無線情報を利用することができる。
取得期間は、取得情報をＡＴが送信する期間を示す。取得周期は、ＡＴが取得情報を送信する周期、又は、ＡＴが取得情報を抽出してメモリに記憶する周期を示す。
【００３２】
ＡＴ条件とは、エリア品質情報をＯＭＣ（３０７）へ送信させるＡＴを選別するための条件である。エリア品質情報を送信するには、本実施の形態では、事前にＡＴに専用アプリケーションがインストールされているが、専用アプリケーションがインストールされているＡＴ全てが、必ずしもエリア品質情報を送信するＡＴとして利用される訳ではない。無線通信システムに不要なデータトラフィック負荷がかかるのを防ぐために、既に収容しているユーザー数や局・セクタ単位のトータルスループット値により、エリア品質情報を送信させるＡＴの数を適正化する。
【００３３】
このためにＯＭＣ（３０７）には、システム管理者によって事前にシステム制限条件（制限値）αが設定されている。システム制限条件αとは、局・セクタ単位でのトータルスループット、呼接続数などのユーザー収容状況を示すパフォーマンス値に対し、エリア品質情報取得のための通信を許容する上限値を意味する。なお、αは必ずしも１つの値で表現されるものではない。システムのパフォーマンスを複数のパラメータによって判断する必要がある場合には、αもパラメータ毎に存在する。ここでは、複数存在し得るシステム制限条件を総称してαと述べている。基本的にＯＭＣ（３０７）は、このシステム制限条件αの範囲内でエリア品質情報を取得するように動作する。このため、ＯＭＣ（３０７）は、エリア品質情報取得で経由する全てのＢＴＳおよびＢＳＣのパフォーマンス値を常時監視している。なお、対象となるＢＴＳ、ＢＳＣについて、その都度パフォーマンス値を取得してもよい。
【００３４】
よってＡＴ条件は、システム管理者によって任意に指定することも可能であるが、ＯＭＣ（３０７）がＢＴＳやＢＳＣのパフォーマンス値見合いで、エリア品質情報を送信するＡＴを自立的に指定することも可能である。また、ＯＭＣ（３０７）が、ＢＴＳと接続・通信するＡＴ数が予め定められた数以上であり、かつ、パフォーマンス値が所定の条件αを満たすようなＢＴＳを選び、そのＢＴＳ内の複数のＡＴを選んでもよい。これにより、例えば、該当ＢＴＳがカバーする広い範囲のエリアについて、エリア品質情報を取得することができる。
【００３５】
図５は、対象端末選択のための保守装置ＯＭＣの動作に関するフローチャートである。ＯＭＣ（３０７）が自立的にエリア品質情報を送信するＡＴを指定する手順について、図５のフローチャートを参照して具体的に述べる。図４のＳ４１０、Ｐ４２０の処理に相当する。
【００３６】
ＯＭＣ（３０７）は、接続情報を受信することで（５０１、図４：Ｓ４１０−４）、どの局（セクタ）にどのＡＴが接続されているか把握可能である。ＯＭＣ（３０７）は、エリア品質情報を取得する対象局（ＢＴＳ）およびそれに接続されるＢＳＣのパフォーマンス値を収集する（５０２）。エリア品質情報を取得する対象局は、例えば、定期的な情報取得の場合には、予め定められたスケージュールに従い決定することができる。また、臨時的に特定のＢＴＳの情報を取得したい場合には、そのＢＴＳとすることもできる。なお、パフォーマンス値は、例えばＢＴＳ、ＢＳＣから収集する。ＯＭＣ（３０７）は、取得されたパフォーマンス値をシステム制限条件αと比較する（５０３）。ここで、例えば、システム制御条件αは予め定められた閾値とすることができる。パフォーマンス値がシステム制限条件以下であれば、対象局に接続されている対象端末の１つにエリア品質情報送信の指示及び設定情報を送る（５０４、図４：Ｓ４２０）。なお、対象端末はひとつに限らず、服す選択してそれぞれに指示等を送信してもよい。指示を送信する端末数は、パフォーマンス値とシステム制限条件とに基づき決定してもよい。例えば、パフォーマンス値とシステム制限条件の差が大きければ、端末数を多くし、一方、パフォーマンス値とシステム制限条件の差が小さければ、端末数を少なくするようにしてもよい。
【００３７】
以降、図５の処理５０２に戻り、パフォーマンス値がシステム制限条件以下である限り、エリア品質情報を送信させる対象端末の数を増やしていく（５０２〜５０５）。この時、ＯＭＣ（３０７）は、対象端末とエリア品質情報送信指示実施状況を把握している。なお、図５のフローでＤＥＬＡＹ（５０５）が含まれるのは、エリア品質情報を送信するＡＴが増えたことの影響が、ＢＴＳおよびＢＳＣのパフォーマンス値に現れるまでに時間を要することが考えられるので、処理５０２で取得される情報にＡＴが増えたことによる影響を確実に反映させるためである。
【００３８】
また、ＡＴ（３０５）とＯＭＣ（３０７）との間でのエリア品質情報授受に必要な通信に対する課金は、一切行われないようにすることができる。ＯＭＣ（３０７）は、ステップＳ４１０で受信された接続情報をもとにＢＴＳおよびＢＳＣと連携し、各ＡＴがエリア品質情報を送信するのに行った通信の呼接続記録を管理する。ここで管理されているＡＴ毎の呼接続記録は、エリア品質呼接続情報として課金処理システム（３１０）に送られる（Ｓ４１１、Ｓ４３１）。課金処理システム（３１０）はエリア品質呼接続情報を受け（Ｓ４１１、Ｓ４３１）、その情報に示されるＡＴがエリア品質情報アップロードのために行った呼接続に対する課金を無効とする処理を行なう。ＯＭＣ（３０７）から課金処理システム（３１０）へのエリア品質呼接続情報の送信契機は、例えば、後述するステップＳ４３０においてＯＭＣ（３０７）にてエリア品質情報を受信した後で、ＯＭＣ（３０７）での処理負荷が軽い時点で随時行うことができる。また、ステップＳ４１０においてＯＭＣ（３０７）が接続情報を受信した後であってもよい。ただし、例えば、エリア品質情報の受信間隔が短い場合などには、ある時間間隔でまとめてエリア品質呼接続情報を課金処理システム（３１０）に送ることもできる。なお、課金処理システム（３１０）は、ＯＭＣ（３０７）からエリア品質呼接続情報を受けない限り、課金の無効化処理は行なわない。
【００３９】
ＯＭＣ（３０７）が設定した、又は、システム管理者によってＯＭＣ（３０７）に入力されたエリア品質情報の取得条件を含む設定情報は、ＢＳＣ（３０６）およびＢＴＳ１（３０１）を介して、設定された端末条件に該当するＡＴに送信される（Ｓ４２０）。対象端末であるＡＴが設定情報を受信すると（Ｓ４２０−４）、設定情報の内容に従い、エリア品質情報の取得・送信を所定の条件に従い実施する。なお、ＡＴの処理の詳細は後述する。
【００４０】
ＡＴ（３０５）が送信した取得情報は、ＢＴＳ１（３０１）およびＢＳＣ（３０６）を介してＯＭＣ（３０７）に送られる（Ｓ４３０）。取得情報を受信したＯＭＣ（３０７）は、取得情報（Ｓ４３０）を保守サーバ（３０８）に転送する（Ｓ４３０−５）。さらに、ＯＭＣ（３０７）は、取得情報を基にマップマッチング処理を行う（Ｐ４３０）。保守サーバ（３０８）は、ステップＳ４３０−５で受信された取得情報を保存する。また、マップマッチング処理されたデータ（Ｓ４４０）は、保守サーバ（３０８）上へ定期的に上書き保存される。
以降、設定情報（Ｓ４２０）にて指定された取得期間満了まで、ＡＴ（３０５）はエリア品質情報の取得・送信を繰り返し行う。
【００４１】
システム管理者の都合、パフォーマンス値の増加等により、エリア品質情報の取得期間満了前に一連の処理を終了させたい場合、システム管理者がＯＭＣ（３０７）を使い、又は、ＯＭＣ（３０７）が自動的に情報取得停止指示を発行する（Ｓ４５０）。この指示を受信したＡＴ（３０５）は、直ちに処理を中止する。ＯＭＣ（３０７）は、１回の情報取得停止指示の発行（Ｓ４５０）で、ある一定の時間間隔で停止指示を繰り返し送信する（Ｓ４６０〜Ｓ４Ｎ０）。ここでの時間間隔及び繰り返し数は、システム管理者が事前にＯＭＣ（３０７）に設定した条件に従う。ここで、停止指示を繰り返し送信するのは、ＡＴの電波受信状況により偶然に停止指示を受信できない事象が発生した場合、これによる停止未了を防ぐため、追加で停止指示を送信し、確実に停止させるためである。
【００４２】
なおＯＭＣ（３０７）は、エリア品質情報取得のため経由しているＢＴＳおよびＢＳＣのパフォーマンス値（例として、局またはセクタ単位でのトータルスループット、呼接続数など）と、事前にシステム管理者によって設定されているシステム制限条件αを常時比較している。
【００４３】
図６は、この動作に関する状態遷移の説明図である。ＡＴによるエリア品質情報の送信が開始されると、ＯＭＣ（３０７）は基本的には状態６０１と６０２の間での遷移を繰り返す。事前にシステム管理者によって設定されているある一定時間、ＢＴＳまたはＢＳＣがシステム制限条件αを連続で超過した場合は、エリア品質情報の取得期間満了前ではあっても、ＯＭＣ（３０７）は状態６０３に遷移し情報取得停止指示（Ｓ４５０）を発行する。
【００４４】
図７は、ユーザーが発呼した際の動作シーケンス図である。
続いて、図７を参照して、エリア品質情報の取得・アップロードの繰り返し処理が行なわれている中で、ユーザーが発呼した際の動作シーケンスについて説明する。ＡＴ（３０５）は、取得情報を複数回送信している（Ｓ７１０〜Ｓ７３０、図４のＳ４３０に相当）。
【００４５】
ＡＴ（３０５）が取得情報を送信した後に発呼（又は通信）をすると（Ｐ７４０）、ＡＴ（３０５）は取得情報の送信処理を一時停止させ、ユーザーによって呼が切断されるまでの間、送信予定の位置／無線情報をＡＴ内部で保持する。この間、位置及び無線情報の取得、記憶は継続してもよい。ユーザーによる呼切断が行われた後、ＡＴ（３０５）は再び設定情報の条件に従い処理を再開する（Ｓ７５０）。例えば、ＡＴ（７０５）は、保持されていた位置、及び、無線情報をまとめてＯＭＣ（３０７）に送信してもよい。
【００４６】
このように、エリア品質情報の取得・送信の一連の処理過程で、ユーザーによるＡＴからの発呼が生じた場合、エリア品質情報送信のリアルタイム性は必要なく、ＡＴ（３０５）はエリア品質情報送信に利用可能なタイミングに合わせて送信すれば良い。
【００４７】
図２では、あるゾーン１（３０３）でエリア品質情報の取得・送信処理を繰り返していたＡＴ（３０５−１）が、ユーザーが使用開始することでＡＴ（３０１−２）はユーザーの呼接続優先処理の動作に遷移し、その状態は呼接続が終了するまで（３０５−３）継続する。そして、呼接続が終了した後に、エリア品質情報の送信を再開する（３０５−４）。
【００４８】
こうしたケースは、異なるゾーンをまたがる場合にも同じである。図３を参照して説明する。
あるゾーン１（３０３）でエリア品質情報の取得・送信処理を繰り返していたＡＴ（３０５−１）が、ユーザーが使用開始することでＡＴ（３０１−２）はユーザーの呼接続優先処理の動作に遷移する。この状態で、ユーザーが別のゾーン２に移動し、別のＢＴＳ２（３０２）に接続した場合は、このゾーン２（３０４）で呼接続終了した後にＡＴ（３０５）はエリア品質情報をＢＴＳ２経由でＯＭＣ（３０７）へ送信する。
【００４９】
図８は、ＡＴの動作フローチャートである。
続いて、ＡＴ内部での処理シーケンスについて、図８を参照して説明する。
対象端末であるＡＴ（３０５）が設定情報及び情報の取得指示を受信すると（Ｓ４２０）、先ず設定情報に含まれるエリア品質情報取得条件をＡＴ（３０５）のアプリケーションに設定する（８０１）。ここで、対象端末で無いＡＴ、すなわちエリア品質情報取得のための専用アプリケーションがインストールされていないＡＴは、設定情報を受信しても（Ｓ４２０）応答しない。
【００５０】
条件が設定されたアプリケーションは、まず自身のＡＴが、エリア品質情報取得をＯＭＣ（３０７）から依頼されているＡＴとして該当するかを判定する（８０２）。この判定は、例えばあるエリア内に膨大な数のＡＴが存在する場合に必要となることがある。あるエリア（局）の全ＡＴを対象にエリア品質情報を取得することは、一時的にシステムに大きなトラフィック負荷をかける可能性がある。これを回避するために、例えば個々のＡＴが持つユニークな識別番号（製造番号、または呼処理上一時的に発生する識別番号など）に対し、ある指定範囲内の番号を持つＡＴ、あるいは下一桁が偶数／奇数のＡＴといった条件を設けることで、エリア品質情報を取得・アップロードするＡＴの数を、大幅に減らすことも可能である。
【００５１】
上述の判定（８０２）で、非該当と判定されたＡＴは、そのまま処理を終了する。そして、該当と判定されたＡＴは、設定情報に含まれるエリア品質情報取得条件で指定された項目（無線情報の種別）について、ＡＴ内部のチップ（無線通信方式を実行するＣＰＵ）に情報の出力を設定し（８０３）、チップから出力された無線情報を取得する（８０４）。また、ＡＴは、このチップからの情報取得と同期して、ＡＴに具備されているＧＰＳ受信装置からの位置情報も併せて取得する（８０４）。
【００５２】
取得した位置情報及び無線情報をＯＭＣ（３０７）へ送信する前に、ユーザーがＡＴ（３０５）を使用中か否かの判定（８０５）を行う。使用中の場合、送信予定の取得情報（位置情報及び無線情報）は一旦バッファに保存される。以降、ユーザーが呼切断するまでの定期的に使用状況を監視し、呼が切断されている状態が確認できた時点で、情報をＯＭＣ（３０７）へ向けて送信する（８０７）。
【００５３】
ＡＴは、位置情報及び無線情報をＯＭＣ（３０７）へ送信した後、ＯＭＣ（３０７）から情報の取得停止指示（図４のＳ４５０等）を受信してないか判定を行う（８０８）。ＡＴは、取得停止指示を受信していた場合、この時点で一連の処理を終了させる。一方、ＡＴは、取得停止指示を受信していない場合、続いて、設定情報（Ｓ４２０）に含まれるエリア品質情報取得条件で指定された取得期間を超過していないか判定を行う（８０９）。ＡＴは、取得期間を超過していた場合は処理を終了させ、一方、超過していない場合は、同じくエリア品質情報取得条件で指定された取得周期に処理サイクルを同期させるべく、同期部にて取得周期合わせを行い（８１０）、再び情報取得の処理工程（８０４）に戻る。
以上のシーケンスに則った処理が行なわれることにより、エリア品質情報取得条件に従ったエリア品質情報の取得、およびＯＭＣへの送信が実現する。
【００５４】
（ハード構成）
図９は、無線端末ＡＴ（３０５）のブロック図である。
ＡＴ（３０５）は、受信装置（３０５１）と、制御装置と、通信装置（３０５４）と、バッファ（３０５５）と、メモリ（３０５８〜３０６０）とを有する。制御装置は、ＯＳ処理部（３０５２）と、位置情報算出部（３０５３）と、取得情報設定部（３０５６）と、アプリケーション制御部（３０５７）とを有する。なお、図中メモリは、メモリＡ（３０５８）、メモリＢ（３０５９）、メモリＣ（３０６０）で構成されているが、適宜の数のメモリ、記憶部を有することができる。
【００５５】
ＡＴ（３０５）に含まれる通信装置（３０５４）は、通信アンテナおよび変復調機能を有している。通信装置（３０５４）には、バッファ（３０５５）が接続されており、送受信される情報を一時的に蓄えるものである。通信装置（３０５４）とバッファ（３０５５）によって、ＢＴＳ１（３０１）との無線通信を実現している。
【００５６】
ＡＴ（３０５）には、予めエリア品質情報取得・アップロードのための専用アプリケーションがインストールされており、このアプリケーションは例えばメモリＡ（３０５８）に格納されている。ＡＴ（３０５）の電源投入と同時に起動されるＯＳ処理（３０５２）は、ＯＳの起動完了後にメモリＡ（３０５８）を参照し、前記の専用アプリケーションを起動する。
【００５７】
通信装置（３０５４）とバッファ（３０５５）を介し、ＯＭＣ（３０７）より送られて来た設定情報は、一旦、例えばメモリＢ（３０５９）に格納される。アプリケーション制御部（３０５７）は、定期的にメモリＢ（３０５９）を確認し、設定情報（Ｓ４２０）が格納されていた場合は、ここから必要な情報を抽出し、取得情報設定部（３０５６）に設定する。続いて取得情報設定部（３０５６）では、設定された内容に従い、必要な無線情報を通信装置部（３０５４）から取得の上、取得した無線情報をメモリＢ（３０５９）に格納する。
【００５８】
またＡＴ（３０５）には、ＡＴ（３０５）の位置情報を取得する手段として、ＧＰＳ信号の受信装置（３０５１）が具備されている。受信装置（３０５１）は、ＧＰＳアンテナを含み、無線のＧＰＳ信号を受信し、必要な情報を抽出する機能を有する。位置情報算出部（３０５３）は、受信装置（３０５１）を介して受信されたＧＰＳ信号をもとに、ＡＴ（３０５）の緯度・経度情報を算出する。算出された位置情報（緯度・経度）は、例えば、メモリＢ（３０５９）に格納される。なお、メモリＣには、ＡＴ毎に予め割り当てられたユニークな識別情報（識別番号）が格納されている。メモリＣは、例えば読み込み専用メモリ：ＲＯＭ（Ｒｅａｄ  Ｏｎｌｙ  Ｍｅｍｏｒｙ）であり、ユーザーによる変更が出来ない仕様である。
【００５９】
アプリケーション制御部（３０５７）は、メモリＢ（３０５９）に無線情報および位置情報の２つが格納されていることが確認できた後、これらの情報とメモリＣの識別情報を組み合わせてバッファ（３０５５）経由で通信装置（３０５４）に送る。通信装置（３０５４）は、これらの情報を無線によりＢＴＳ１へ送信する。
【００６０】
図１０は、無線基地局ＢＴＳ（３０１）のブロック図である。
ＢＴＳ１（３０１）は、ＡＴ（３０５）との無線通信を可能にすべく通信装置（３０１１）およびバッファ（３０１２）を含んでおり、通信装置（３０１１）は通信アンテナおよび変復調機能を有している。通信装置（３０１１）にバッファ（３０１２）が接続されており、これは、送受信される情報を一時的に蓄えるものである。
【００６１】
ＢＴＳ１（３０１）は、さらに、トラフィックデータを処理するための主信号処理部（３０１３）、制御情報を処理するための制御信号処理部（３０１４）、同一情報を配下の全ＡＴに一斉配信（ブロードキャスト）するために必要な制御・処理を行うためのブロードキャスト制御部（３０１５）、ＢＴＳ１（３０１）の各種パフォーマンス値を収集・まとめるためのパフォーマンス値収集部（３０１７）、および上位の基地局制御装置ＢＳＣ（３０６）と情報授受を行うためのインタフェースであるＩＦ部（３０１６）を有する。ＯＭＣ（３０７）より送信された設定情報を受信したＢＴＳ１（３０１）は、ブロードキャスト制御部（３０１５）により設定情報（Ｓ４２０）が複製され、自らが構成するゾーン１（３０３）に存在する全ＡＴ（３０５）に向けて送信される。
なお、図３に示されるＢＴＳ２（３０２）は、図１０のＢＴＳ１（３０１）と同一の構成を取ることができるため、説明を省略する。
【００６２】
図１１は、無線基地局制御装置ＢＳＣ（３０６）のブロック図である。
ＢＳＣ（３０６）は、公衆網（３０９）およびＯＭＣ（３０７）および課金処理システム（３１０）とのインタフェースをとるＩＦ部（３０６３）、送受信するデータを一時的に蓄えるためのバッファ（３０６９）、ＢＳＣ（３０６）と複数のＢＴＳ間のチャネル選択を行うセレクタ部（３０６４）、ＢＳＣ（３０６）の各種パフォーマンス値を収集・まとめるためのパフォーマンス値収集部（３０７０）、制御部、メモリ（３０６８）および各ＢＴＳとのインタフェースを取るＩＦ部（３０６１、３０６２）を有する。制御部は、セレクタ制御部（３０６５）とブロードキャスト制御部（３０６６）と課金情報制御部（３０６７）とを有する。
【００６３】
エリア品質情報取得条件をＡＴに設定するための設定情報をＩＦ部（３０６３）経由で受信する際、同時に、設定情報をブロードキャストする対象局の情報もＯＭＣ（３０７）より受信する。この対象局の情報はブロードキャスト制御部（３０６６）に送られる。ブロードキャスト制御部（３０６６）で、設定情報（Ｓ４２０）の複製や、全局あるいは一部の局に設定情報（Ｓ４２０）をルーティングさせるための対象局情報をセレクタ制御部（３０６５）に送る。セレクタ制御部（３０６５）は、その対象局情報をもとにセレクタ部（３０６４）を制御しルーティングを行う。
【００６４】
また、エリア品質情報の取得に関係する全ての通信について、ユーザーに通信費が課金されぬように、課金情報制御部（３０６７）が関係する呼への課金除外をＩＦ部（３０６３）経由で課金処理システム（３１０）に働きかける。
【００６５】
図１２は、保守装置ＯＭＣ（３０７）のブロック図である。
ＯＭＣ（３０７）は、公衆網（３０９）および基地局制御装置（３０６）とのインタフェースをとるＩＦ部（３０７１）、ＩＦ部（３０７１）から送受信されたデータを一時的に蓄えるためのバッファ（３０７４）、ＡＴ（３０５）から送信されてきた取得情報から必要な情報を抽出する情報抽出部（３０７６）、抽出された情報をもとにデータ集計およびマップマッチング図生成を行うデータ集計部（３０７８）およびマップマッチング生成部（３０８０）、取得情報から抽出された情報をＯＭＣサーバ（３０８）へ保存するためにＯＭＣサーバ（３０８）とのインタフェースをとりバッファを行うＩＦ部（３０７２）およびバッファ部（３０７５）、システム管理者がエリア品質情報取得条件を設定するのに使用する入出力装置（３０８５）および表示装置（３０８４）とのインタフェースをとるＩＦ部（３０７３）、ＯＭＣ（３０７）に設定されたエリア品質情報取得条件から設定情報を生成する設定情報生成部（３０７７）、ＢＴＳ（３０１）やＢＳＣ（３０６）といったシステム内装置のパフォーマンス値を監視し、必要に応じエリア品質情報収集動作を制御するパフォーマンス監視・情報収集制御部（３０８３）を有する。また、地図ＤＢ（３０８２）、基地局ＤＢ（３０８１）をさらに有してもよい。
【００６６】
ＯＭＣ（３０７）は、必ずしも１つのＢＳＣ（３０６）と１対１で対向し存在する訳ではなく、公衆網（３０９）を介して、他のＢＳＣに対して接続される構成も有り得る。
システム管理者は、ＯＭＣ（３０７）に接続される表示装置（３０８４）および入出力装置（３０８５）を利用し、エリア品質情報取得条件やシステム制限条件αを設定できる。ここで設定するエリア品質情報取得条件には、対象局の指定も行うことが可能である。これら設定された情報をもとに、設定情報生成部（３０７７）で設定情報（４２０）をバッファ（３０７４）経由で基地局制御装置（３０６）へ送信する。またシステム制限条件αには、例として局・セクタ単位でのトータルスループット、回線使用率、呼接続数などがある。
【００６７】
また、ＡＴ（３０５）より送信されＯＭＣ（３０７）で受信された取得情報（Ｓ４３０）は、ＩＦ部（３０７１）およびバッファ（３０７４）を経由した後、情報抽出部（３０７６）で無線情報および位置情報が抽出される。抽出された情報は、一方はバッファ（３０７５）およびＩＦ部（３０７２）を経由してＯＭＣサーバ（３０８）に保存される。またもう一方で、前記情報はデータ集計部（３０７８）およびマップマッチング生成部（３０８０）に送られる。データ集計部（３０７８）では、情報を表形式で集計し、集計結果を表示制御部（３０７９）および例えば集計結果を保存する目的でＯＭＣサーバ（３０８）に送る。
【００６８】
また、マップマッチング生成部（３０８０）では、ＯＭＣ（３０７）が持つ基地局データベース（基地局ＤＢ）（３０８１）および地図データベース（地図ＤＢ）（３０８２）から必要な情報を得て、地図上に局位置と局のアンテナ方向や局のＰＮを併記し、無線情報の強弱を色で表現したマップマッチング図を生成する。ここで生成されたマップマッチング図は、表示制御部（３０７９）およびマップマッチング図を保存する目的でＯＭＣサーバ（３０８）に送る。表示制御部（３０７９）は、データ集計部（３０７８）およびマップマッチング生成部（３０８０）から受信した情報を表示装置（３０８４）で表示させるべく、表示装置（３０８４）への必要な制御、および情報の転送を行う。また表示制御部（３０７９）は、設定情報生成部（３０７７）など、他の制御部での情報を表示させるなど、様々な目的で機能する。
【００６９】
エリア品質情報の定期情報取得、および臨時情報取得、いずれにおいても本実施の形態におけるシステム構成は同じとすることができる。ＯＭＣ（３０７）より送信される設定情報（Ｓ４２０）に含まれる取得条件・情報取得期間の長短を適宜設定することで、定期または臨時情報取得いずれの要求にも対応可能である。
【００７０】
また、ＯＭＣ（３０７）は、管理者により指定される基地局の識別子を含む無線情報取得指示を入出力装置から入力すると、制限値αを該制限値よりも大きく設定することで、基地局からの無線情報の取得条件をゆるめることができる。
【００７１】
なお、ＯＭＣ（３０７）は、取得されたパフォーマンス値に基づき、無線端末からの情報の送信周期を決定し、前記無線端末が取得する無線情報の種別と、送信期間と、決定された送信周期とを含む取得条件を設定してもよい。ＯＭＣ（３０７）は、設定された取得条件と取得指示とを無線端末に送信し、該取得指示に従い、決定された送信周期毎に無線端末から送信される、無線端末の位置情報と、該位置における無線端末と基地局間の無線情報とを含むエリア品質情報を取得することができる。
【産業上の利用可能性】
【００７２】
本発明は、例えば、無線通信システム、そのシステムのエリア品質を測定するための装置、サービス等に利用可能である。
【図面の簡単な説明】
【００７３】
【図１】従来の移動体通信システムにおけるエリア品質情報取得の概略図である。
【図２】本実施の形態の移動体通信システムのシステム構成図である。
【図３】本実施の形態の移動体通信システムのシステム構成図である。
【図４】本実施の形態におけるエリア品質情報取得に至るシーケンス図である。
【図５】本実施の形態における対象端末選択のための保守装置動作に関するフローチャートである。
【図６】本実施の形態における保守装置動作の状態遷移図である。
【図７】本実施の形態におけるエリア品質情報取得に至るシーケンス図である。
【図８】本実施の形態における端末ＡＴの詳細動作フローチャートである。
【図９】本実施の形態の端末のブロック図である。
【図１０】本実施の形態の無線基地局のブロック図である。
【図１１】本実施の形態の無線基地局制御装置のブロック図である。
【図１２】本実施の形態の保守装置のブロック図である。
【符号の説明】
【００７４】
３０１、３０２  無線基地局
３０３、３０４  ゾーン（無線基地局のサービスエリア）
３０５  無線端末（ユーザーが持つ汎用端末）
３０６  無線基地局制御装置
３０７  保守装置
３０８  ＯＭＣサーバ
３１０  課金処理システム
３０７１、３０７２、３０７３  ＩＦ部
３０７４、３０７５  バッファ
３０７６  情報抽出部
３０７７  設定情報生成部
３０７８  データ集計部
３０７９  表示制御部
３０８０  マップマッチング生成部
３０８１  基地局ＤＢ
３０８２  地図ＤＢ
３０８３  パフォーマンス監視情報収集制御部
３０８４  表示装置
３０８５  入出力装置
【図１】
2008022065.tif 000003
【図２】
2008022065.tif 000004
【図３】
2008022065.tif 000005
【図４】
2008022065.tif 000006
【図５】
2008022065.tif 000007
【図６】
2008022065.tif 000008
【図７】
2008022065.tif 000009
【図８】
2008022065.tif 000010
【図９】
2008022065.tif 000011
【図１０】
2008022065.tif 000012
【図１１】
2008022065.tif 000013
【図１２】
2008022065.tif 000014